(57)【要約】【課題】水平壁のような手間のかかる施工を要することなく、天窓の直下にシーリングファンを容易に配置できる空調設備を提供する。【解決手段】建物の屋根２に設けられた天窓５の下方が階段室１となっており、この階段室１の上部にある対向する壁８ｃ，８ｄ間に、取付ビーム１０が水平にかつ天窓５の直下に位置するように架設されており、この取付ビーム１０に、シーリングファン６が取り付けられているので、水平壁のような手間のかかる施工を要することなく、天窓５の直下にシーリングファン６を容易に配置できる。【選択図】図５
2010084997.tif 000002
【特許請求の範囲】
【請求項１】
建物の屋根に開閉可能に設けられた天窓と、この天窓の下方に設けられたシーリングファンとを備えた空調設備において、
前記天窓の下方が階段室となっており、
この階段室の上部にある対向する壁間に、取付ビームが水平にかつ前記天窓の直下に位置するように架設されており、
この取付ビームに、前記シーリングファンが取り付けられていることを特徴とする空調設備。
【請求項２】
請求項１に記載の空調設備において、
前記階段室の上部には、前記天窓と階段室の天井との間に、通風および採光用の通気部が前記天井に開口して設けられており、
この通気部を形成する対向する壁間に前記取付ビームが水平に架設されており、
前記取付ビームに取り付けられたシーリングファンは、前記通気部に納まっていることを特徴とする空調設備。
【請求項３】
請求項２に記載の空調設備において、
前記通気部は、前記階段室の天井に開口する第１通気部と、この第１通気部の上面の一部に開口するとともに、上部に前記天窓が設けられた第２通気部とによって構成されており、
前記第１通気部を形成する対向する壁間に前記取付ビームが水平に架設されており、
前記取付ビームに取り付けられたシーリングファンは、前記第１通気部に納まっていることを特徴とする空調設備。
【請求項４】
請求項３に記載の空調設備において、
前記取付ビームの上面に、前記シーリングファンの制御を行うための温度センサが前記第１通気部の上面に対向して設けられていることを特徴とする空調設備。
【請求項５】
請求項１〜４のいずれか一項に記載の空調設備において、
前記階段室に折返し階段が設けられており、この折返し階段の平面視における中央部にある階段手摺の直上に、前記シーリングファンが位置していることを特徴とする空調設備。
【発明の詳細な説明】
【技術分野】
【０００１】
本発明は、建物の屋根に開閉可能に設けられた天窓と、この天窓の下方に設けられたシーリングファンとを備えた空調設備に関する。
【背景技術】
【０００２】
天窓とシーリングファンとを備えた空調設備の一例として、特許文献１に記載のものが知られている。
この空調設備は、建物の屋根に開閉可能に設けられた天窓と、この天窓の下方に設けられたシーリングファンとを備えており、天窓と、この天窓の下方に位置する天井との間に、通風および採光用の通気部が設けられている。そして、この通気部を形成する壁部に前記シーリングファンの回転駆動部が取り付けられ、この回転駆動部の駆動軸は前記通気部を通って前記天井より下方まで延出しており、この駆動軸の下端部に前記シーリングファンの羽根が取り付けられている。
【特許文献１】特開２００６−３４９３１８号公報
【発明の開示】
【発明が解決しようとする課題】
【０００３】
ところで、上記従来の空調設備では、通気部の壁部にシーリングファンの回転駆動部を取り付けるために、この壁部の一部に水平な水平壁を形成しているので、この水平壁を形成するのに手間がかかる。つまり、通気部の壁部を斜めに形成するとともに、この斜めの壁の一部に水平壁を形成する必要があるので、その施工に手間がかかる。
また、水平壁は通気部の上部に設けられた天窓の直下に位置しておらず、直下より水平方向にずれて配置されているため、シーリングファンを天窓の直下に配置できず、天窓からのシーリングファンによる空気の採り込みや排出が効率的でない。
【０００４】
本発明は上記事情に鑑みてなされたもので、水平壁のような手間のかかる施工を要することなく、天窓の直下にシーリングファンを容易に配置できる空調設備を提供することを課題としている。
【課題を解決するための手段】
【０００５】
上記課題を解決するために請求項１に記載の発明は、例えば図１〜図６に示すように、
建物の屋根２に開閉可能に設けられた天窓５と、この天窓５の下方に設けられたシーリングファン６とを備えた空調設備において、
前記天窓５の下方が階段室１となっており、
この階段室１の上部にある対向する壁８ｃ，８ｄ間に、取付ビーム１０が水平にかつ前記天窓５の直下に位置するように架設されており、
この取付ビーム１０に、前記シーリングファン６が取り付けられていることを特徴とする。
【０００６】
請求項１に記載の発明によれば、階段室１の上部にある対向する壁８ｃ，８ｄ間に、取付ビーム１０が水平にかつ天窓５の直下に位置するように架設されており、この取付ビーム１０に、シーリングファン６が取り付けられているので、水平壁のような手間のかかる施工を要することなく、天窓５の直下にシーリングファン６を容易に配置できる。
【０００７】
請求項２に記載の発明は、請求項１に記載の空調設備において、
前記階段室１の上部には、前記天窓５と階段室１の天井１ａとの間に、通風および採光用の通気部７が前記天井１ａに開口して設けられており、
この通気部７を形成する対向する壁８ｃ，８ｄ間に前記取付ビーム１０が水平に架設されており、
前記取付ビーム１０に取り付けられたシーリングファン６は、前記通気部７に納まっていることを特徴とする。
【０００８】
請求項２に記載の発明によれば、階段室１の上部に設けられた通気部７を形成する対向する壁８ｃ，８ｄ間に取付ビーム１０が水平に架設されているので、通気部７の下方にある階段室の壁間に取付ビームを架設する場合に比して、取付ビーム１０を短くできる。
また、取付ビーム１０に取り付けられたシーリングファン６は、通気部７に納まっているので、階段室１の上部の空気を天窓５から外部に排気する際に、該空気を効果的に通気部７に導入して、開放された天窓５から排気できる。
【０００９】
請求項３に記載の発明は、請求項２に記載の空調設備において、
前記通気部７は、前記階段室１の天井１ａに開口する第１通気部８と、この第１通気部８の上面８ｅの一部に開口するとともに、上部に前記天窓５が設けられた第２通気部９とによって構成されており、
前記第１通気部８を形成する対向する壁８ｃ，８ｄ間に前記取付ビーム１０が水平に架設されており、
前記取付ビーム１０に取り付けられたシーリングファン６は、前記第２通気部９の直下でかつ前記第１通気部８に納まっていることを特徴とする。
【００１０】
請求項３に記載の発明によれば、取付ビーム１０に取り付けられたシーリングファン６は、第２通気部９の直下でかつ第１通気部８に納まっているので、階段室１から第１通気部８に流入した空気を第２通気部９に効果的に送り込んで、開放された天窓５から外部に排気できる。
また、シーリングファン６が、第１通気部８に納まっているので、比較的大きなシーリングファン６を使用しても、このシーリングファン６が第２通気部９を形成する壁に干渉することがない。
【００１１】
請求項４に記載の発明は、請求項３に記載の空調設備において、
前記取付ビーム１０の上面に、前記シーリングファンの制御を行うための温度センサ１１が前記第１通気部８の上面８ｅに対向して設けられていることを特徴とする。
【００１２】
請求項４に記載の発明によれば、取付ビーム１０の上面に温度センサ１１が第１通気部８の上面８ｅに対向して設けられているので、温度センサ１１に天窓５からの直射日光が直接照射されるのを防止できる。したがって、温度センサ１１の異常上昇に伴う、シーリングファン６の誤制御を防止できる。
【００１３】
請求項５に記載の発明は、請求項１〜４のいずれか一項に記載の空調設備において、
前記階段室１に折返し階段２が設けられており、この折返し階段２の平面視における中央部にある階段手摺２ｄの直上に、前記シーリングファン６が位置していることを特徴とする。
【００１４】
請求項５に記載の発明によれば、折返し階段２の平面視における中央部にある階段手摺２ｄの直上に、シーリングファン６が位置しているので、シーリングファン６を回すことによって、階段室１の上下に亙って空気を効果的に流通させることがきる。
【発明の効果】
【００１５】
本発明によれば、天窓の下方が階段室となっており、この階段室の上部にある対向する壁間に、取付ビームが水平にかつ前記天窓の直下に位置するように架設されており、この取付ビームに、前記シーリングファンが取り付けられているので、水平壁のような手間のかかる施工を要することなく、天窓の直下にシーリングファンを容易に配置できる。
【発明を実施するための最良の形態】
【００１６】
以下図面を参照して本発明の実施の形態について説明する。
図１は本発明に係る空調設備を備えた建物の要部を示すもので、一側面側から見た縦断面図、図２は同他側面側から見た縦断面図、図３は同１階の階段室の平面図、図４は同２階の階段室の平面図である。
【００１７】
図１〜図４に示すように、建物は２階建てのものであり、この建物内には、１階床ら２階天井にかけて階段室１が設けられている。階段室１は、図３および図４に示すように、平面視において矩形状に形成されており、その内部には１階床から２階床に至る折返し階段２が設けられている。
折返し階段２の途中には踊り場２ａが設けられており、この踊り場２ａは建物の外壁に沿って配置されている。なお、図３に示すように、階段室１の１階部分には、物入３が１階床から踊り場２ａに至る階段２ｂに隣接し、かつ、踊り場２ａから２階床に至る階段２ｃの下方において設けられている。
【００１８】
また、図１および図２に示すように、建物の屋根４には天窓５が設けられており、この天窓５の下方にはシーリングファン６が設けられている。天窓５は開閉可能に設けられており、図示しない駆動モータによって、自動的に開閉されるようになっている。
そして、天窓５の下方が前記階段室１となっている。つまり、階段室１の上方に天窓５が設けられている。
また、階段室１の上部には、天窓５と階段室１の天井１ａとの間に、通風および採光用の通気部７が天井１ａに開口して設けられている。通気部７は、階段室１の天井１ａに開口する第１通気部８と、この第１通気部８の上面の一部に開口するとともに、上部に天窓５が設けられた第２通気部９とによって構成されている。
【００１９】
第１通気部８は、図１、図２、図５、図６に示すように、対向して平行にかつ鉛直に設けられた側壁８ａ，８ｂと、これら側壁８ａ，８ｂに直角に交わるとともに、対向して平行にかつ鉛直に設けられた側壁８ｃ，８ｄと、側壁８ａ〜８ｃの上端部に屋根４と平行に傾斜して設けられた上壁８ｅと、この上壁８ｅと交差しかつ水平に設けられられた上壁８ｆによって囲まれた空間であり、その下面は階段室１の天井１ａに開口している。
また、側壁８ｂは側壁８ａに対して下方にずれて配置されており、これによって、第１通気部８の下面開口は屋根４と平行に傾斜している。また、階段室１の天井１ａは斜めに傾斜する部分と、水平な部分とを有し、傾斜する部分と水平な部分との間に第１ツウ貴部８の下面開口が開口している。
【００２０】
第２通気部９は、鉛直に設けられた側壁９ａと、この側壁９ａに対向しかつ屋根２と直角に設けられた側壁９ｂと、これら側壁９ａ，９ｂに交わるとともに対向して平行にかつ鉛直に設けられた側壁９ｃ，９ｄと、これら側壁９ａ〜９ｃの上端部に屋根４と平行に傾斜して設けられた上壁９ｅとによって囲まれた空間であり、その下面は第１通気部８に開口している。そして、上壁９ｅに前記天窓５が設けられている。
また、側壁９ａは側壁９ｂに対して下方にずれて配置されており、これによって、第２通気部９の下面開口は屋根４と平行に傾斜している。
【００２１】
また、階段室１の上部にある対向する壁間に、取付ビーム１０が水平にかつ前記天窓５の直下に位置するように架設されている。
すなわち、階段室１の上部にある対向する壁は、図５および図６に示すように、前記第１通気部８を形成する側壁８ｃ，８ｄであり、この側壁８ｄ，８ｄ間に、取付ビーム１０が水平にかつ天窓５の直下に位置するように架設されている。
取付ビーム１０は左右に長尺な断面矩形の棒状のものであり、その中央部下面に、前記シーリングファン６が取り付けられている。
【００２２】
シーリングファン６は回転軸６ａと、この回転軸６ａの上端に連結されて回転軸６ａ正逆方向に回転させる駆動モータを有する取付部６ｂと、回転軸６ａの下端部に固定されたファン６ｃとによって構成されている。そして、取付部６ｂが前記取付ビーム１０の中央部下面に固定され、この取付部６ｂから回転軸６ａが垂下し、回転軸６ａの下端部にファン６ｃが水平に固定されている。このような構成のシーリングファン６は、前記第１通気部８に納まっている。
【００２３】
また、図４に示すように、折返し階段２の平面視における中央部にある階段手摺２ｄの直上に前記シーリングファン６が位置している。
また、前記取付ビーム１０の上面には、シーリングファン６の制御を行うための温度センサ１１が第１通気部８の上壁（上面）８ｅに対向して設けられている。温度センサ１１は、シーリングファン６の駆動モータの制御部に接続されており、この駆動モータの制御部に、信号を出力することによって、駆動モータのＯＮ・ＯＦＦ制御や正・逆回転の制御を行うようになっている。
【００２４】
さらに、温度センサ１１は、天窓５の開閉や、建物内に設けられた冷暖房装置のＯＮ・ＯＦＦ制御も行うようになっている。
すなわち、温度センサ１１は、天窓５を開閉させるの駆動モータの制御部に接続されており、この駆動モータの制御部に、信号を出力することによって、駆動モータのＯＮ・ＯＦＦ制御や正・逆回転の制御を行うとともに、冷暖房装置の制御部に信号を出力することによって、冷暖房装置のＯＮ・ＯＦＦ制御を行うようになっている。
【００２５】
前記温度センサ１１によって、シーリングファン６、天窓５、冷暖房装置が例えば以下のように制御されるが、制御方法はこれに限るものではない。
温度センサ１１は、階段室１の上部付近、すなわち前記通気部７の温度を検出し、例えば、夏季の日中において、温度センサ１１が検出した温度が設定温度より高い場合、シーリングファン６をＯＮとして逆方向に回転させるとともに、天窓５を閉鎖させ、さらに、冷暖房装置をＯＮとして冷気を送出するように、これらを制御する。これによって、外部の暑い外気が天窓５から入ってこないように閉鎖するとともに、冷暖房装置から送出される冷気をシーリングファン６によって上方に吸い上げて循環させることができる。
また、夏季の夜において、温度センサ１１が検出した温度が設定温度より高い場合、シーリングファン６をＯＮとして正方向に回転させるとともに、天窓５を開放させ、さらに、冷暖房装置をＯＦＦとするように、これらを制御する。これによって、外部の涼しい外気を天窓５からシーリングファン６によって採り入れるとともに、下方に向けて送り込むことができる。
【００２６】
また、冬季において、温度センサ１１が検出した温度が設定温度より低い場合、シーリングファン６をＯＮとして正方向に回転させるとともに、天窓５を閉鎖させ、さらに、冷暖房装置をＯＮとして暖気を送出するように、これらを制御する。これによって、外部の冷たい外気が天窓５から入ってこないように閉鎖するとともに、冷暖房装置から送出される暖気が上方に滞留しないようにシーリングファン６によって循環させることができる。
【００２７】
また、春秋季において、温度センサ１１が検出した温度が設定温度より高い場合、シーリングファン６をＯＮとして正方向に回転させるとともに、天窓５を開放させ、さらに、冷暖房装置をＯＦＦとするように、これらを制御する。これによって、外部の涼しい外気を天窓５から採り込んで、シーリングファン６によって下方に向けて送り込むことができる。
また、春秋季において、温度センサ１１が検出した温度が設定温度より低い場合、シーリングファン６をＯＮとして正方向に回転させるとともに、天窓５を閉鎖させ、さらに、冷暖房装置をＯＦＦとするように、これらを制御する。これによって、内部の空気を保持しながらシーリングファン６によって循環させることができる。
【００２８】
本実施の形態によれば、階段室１の上部にある対向する側壁８ｃ，８ｄ間に、取付ビーム１０が水平にかつ天窓５の直下に位置するように架設されており、この取付ビーム１０に、シーリングファン６が取り付けられているので、水平壁のような手間のかかる施工を要することなく、天窓５の直下にシーリングファン６を容易に配置できる。
また、階段室１の上部に設けられた通気部７を形成する対向する側壁８ｃ，８ｄ間に取付ビーム１０が水平に架設されているので、通気部７より下方にある階段室１の壁間に取付ビームを架設する場合に比して、取付ビーム１０を短くできる。
また、取付ビーム１０に取り付けられたシーリングファン６は、通気部７に納まっているので、階段室１の上部の空気を天窓５から外部に排気する際に、該空気を効果的に通気部７に導入して、開放された天窓５から排気できる。
【００２９】
さらに、通気部８は、階段室１の天井に開口する第１通気部８と、この第１通気部８の上面８ｅの一部に開口するとともに、上部に天窓５が設けられた第２通気部９とによって構成されており、取付ビーム１０に取り付けられたシーリングファン６は、第２通気部９の直下でかつ第１通気部８に納まっているので、階段室１から第１通気部８に流入した空気を第２通気部９に効果的に送り込んで、開放された天窓５から外部に排気できる。
また、シーリングファン６が、第１通気部８に納まっているので、比較的大きなシーリングファン６を使用しても、このシーリングファン６が第２通気部９を形成する側壁に干渉することがない。
【００３０】
また、取付ビーム１０の上面に温度センサ１１が第１通気部８の上面８ｅに対向して設けられているので、温度センサ１１に天窓５からの直射日光が直接照射されるのを防止できる。したがって、温度センサ１１の異常上昇に伴う、シーリングファン６、天窓５、冷暖房装置の誤制御を防止できる。
さらに、折返し階段２の平面視における中央部にある階段手摺２ｄの直上に、シーリングファン６が位置しているので、シーリングファン６を回すことによって、階段１室の上下に亙って空気を効果的に流通させることがきる。
【図面の簡単な説明】
【００３１】
【図１】本発明に係る空調設備を備えた建物の要部を示すもので、一側面側から見た縦断面図である。
【図２】同、他側面側から見た縦断面図である。
【図３】同、１階の階段室の平面図である。
【図４】同、２階の階段室の平面図である。
【図５】同、通気部を下方から見上げた斜視図である。
【図６】同、通気部を下方から見上げた別の斜視図である。
【符号の説明】
【００３２】
１  階段室
１ａ  天井
２  折返し階段
２ｄ  階段手摺
４  屋根
５  天窓
６  シーリングファン
７  通気部
８  第１通気部
８ｃ，８ｄ  側壁（壁）
８ｅ  上面（上壁）
９  第２通気部
１０  取付ビーム
１１  温度センサ
【図１】
2010084997.tif 000003
【図２】
2010084997.tif 000004
【図３】
2010084997.tif 000005
【図４】
2010084997.tif 000006
【図５】
2010084997.tif 000007
【図６】
2010084997.tif 000008